(57)【特許請求の範囲】
【請求項１】
マルチメディアオンラインサービスによる動画像データ，音声データ，テキストデータなどを含むマルチメディアデータを受信し記録するようなデータ記録装置において、
帯域圧縮されて伝送されるディジタル情報信号を受信し処理するための受信信号処理手段と、
上記ディジタル信号から圧縮された画像／音声データとユーザインターフェイスのためのデータとを分離する分離手段と、
上記画像／音声データを記録／再生するための第１の記憶手段と、
上記ユーザインターフェイスのためのデータを記録／再生するための第２の記憶手段と
を有し、
上記第１の記憶手段の記録媒体は脱着可能であり、
上記第２の記憶手段に記録される上記ユーザインターフェイスのためのデータには、上記記録媒体の交換情報が含まれていることを特徴とするデータ記録装置。
【請求項２】
請求項１に記載のデータ記録装置において、
上記ユーザインターフェイスのためのデータには上記画像／音声データに対して検索を行えるようなインデックス情報が含まれ、
上記第１の記憶手段には、上記画像／音声データの記録位置を示す記録位置情報が記録され、
上記インデックス情報と上記記録位置情報とは互いに対応付けられることを特徴とするデータ記録装置。
【請求項３】
請求項１に記載のデータ記録装置において、
上記第２の記憶手段に記録された上記ユーザインターフェイスのためのデータに基づき上記第１の記憶手段に記録された上記画像／音声データに対する選択メニューを表示し、
上記表示された選択メニューによって再生したい画像／音声データを選択することを特徴とするデータ記録装置。
【請求項４】
請求項３に記載のデータ記録装置において、
上記選択メニューによって選択した再生したい画像／音声データが上記第１の記憶手段で別の記録媒体に記録されている際には、その旨を表示することを特徴とするデータ記録装置。
【請求項５】
マルチメディアオンラインサービスによる動画像データ，音声データ，テキストデータなどを含むマルチメディアデータを受信し記録するようなデータ記録方法において、
帯域圧縮されて伝送されるディジタル情報信号を受信し処理するためのステップと、
上記ディジタル信号から圧縮された画像／音声データとユーザインターフェイスのためのデータとを分離するステップと、
上記画像／音声データを記録／再生するための第１の記録のステップと、
上記ユーザインターフェイスのためのデータを記録／再生するための第２の記録のステップと
を有し、
上記第１の記録のステップにより記録される上記画像／音声データは脱着可能な記録媒体に記録され、
上記第２の記録のステップにより記録される上記ユーザインターフェイスのためのデータには、上記記録媒体の交換情報が含まれていることを特徴とするデータ記録方法。
【請求項６】
請求項５に記載のデータ記録方法において、
上記ユーザインターフェイスのためのデータには上記画像／音声データに対して検索を行えるようなインデックス情報が含まれ、
上記第１の記録のステップでは、上記画像／音声データの記録位置を示す記録位置情報が記録され、
上記インデックス情報と上記記録位置情報とは互いに対応付けられることを特徴とするデータ記録方法。
【請求項７】
請求項５に記載のデータ記録方法において、
上記第２の記録のステップにより記録された上記ユーザインターフェイスのためのデータに基づき上記第１の記録のステップにより記録された上記画像／音声データに対する選択メニューを表示し、
上記表示された選択メニューによって再生したい画像／音声データを選択することを特徴とするデータ記録方法。
【請求項８】
請求項７に記載のデータ記録方法において、
上記選択メニューによって選択した再生したい画像／音声データが上記第１の記録のステップにより別の記録媒体に記録されている際には、その旨を表示することを特徴とするデータ記録方法。
【発明の詳細な説明】
【０００１】
【発明の属する技術分野】
この発明は、ディジタル放送，マルチメディアオンラインサービスなどのようなディジタル伝送においてダウンロードされた、動画像などがふんだんに使用された大容量のデータを記録するような、データ記録装置および記録方法に関する。
【０００２】
【従来の技術】
現在、インターネットを使用したサービスをはじめとする、パーソナルコンピュータけのオンラインサービスが急速に広まりつつある。この、既存のオンラインサービスは、そのほとんどが文字主体のサービスであり、また、静止画あるいは疑似動画程度の伝送までが可能とされている場合でも、画像データのダウンロードに非常に時間がかかってしまいアクセスが悪かった。さらに、このようにダウンロードされた画像データに関しても、その画質は、決して満足できるレベルとはいえなかった。
【０００３】
こうした問題は、このようなオンラインサービスが既存の電話回線を使用しているシステムに起因するところが大きい。そのため、これを解決するために、デジタル衛星によるデータサービスやＣＡＴＶ（ケーブルテレビ）の回線を使った“ケーブルモデム”といわれるシステムが登場した。
【０００４】
例えば、衛星を使ったデジタル放送が米国ではすでに開始されており、欧州、日本でも順次同様のサービスが予定されている。この衛星によるディジタル放送は、家庭のテレビジョン受像機に対して１５０ｃｈ程度のチャンネルを割り当て、サービスを提供するものである。
【０００５】
このような衛星によるサービスには、テレビジョン向けのサービスばかりでなく、パーソナルコンピュータのためのデータサービスに拡張されていくものもあると考えられている。また、今後ますます、文字データのみならず、静止画，動画，音声を含めた、所謂マルチメディアサービス（Ｍｕｌｔｉｍｅｄｅｉａ  Ｓｅｒｖｉｃｅ）  へのニーズが高まりつつある。
【０００６】
このサービスにおいて、動画像データは、例えばＭＰＥＧ２方式で圧縮され伝送される。この場合のデータ容量は、映画などの動画像データを伝送する場合で、１分間に例えば３０ＭＢｙｔｅ程度となる。
【０００７】
【発明が解決しようとする課題】
このように、このマルチメディアサービスにおいて、伝送されてくるデータが動画等を含み大容量化が進むにつれ、一般家庭内に普及しているパーソナルコンピュータに内蔵されているハードディスクなどのストレージでは容量が不足してしまうという問題点があった。このため、せっかくの付加価値サービスを十分楽しむことができないという問題点があった。
【０００８】
また、そのためにハードディスクを大容量のものに変更するような場合、再びソフトウェアをインストールするなどの手間がかかり、また、新たにハードディスクを追加するような場合でも、パーソナルコンピュータの仕様を変更する必要があるという問題点があった。
【０００９】
また、例え大容量のハードディスクがパーソナルコンピュータに用意されている場合でも、画像／音声データのようなシリアルアクセスを行うデータとその他の通常のデータのようにランダムアクセスを行うデータとが同一のハードディスクに書き込まれていてはアクセス性に問題が生じる。
【００１０】
したがって、この発明の目的は、一般家庭に普及しているパーソナルコンピュータを大きな仕様変更を加えることなく利用して、マルチメディアオンラインサービスを楽しめるようなデータ記録装置を提供することにある。
【００１１】
【課題を解決するための手段】
この発明は、上述した課題を解決するために、帯域圧縮されて伝送されるディジタル情報信号を受信し処理するための受信信号処理手段と、ディジタル信号から圧縮された画像／音声データとユーザインターフェイスのためのデータとを分離する分離手段と、画像／音声データを記録／再生するための第１の記憶手段と、ユーザインターフェイスのためのデータを記録／再生するための第２の記憶手段とを有し、第１の記憶手段の記録媒体は脱着可能であり、第２の記憶手段に記録されるユーザインターフェイスのためのデータには、記録媒体の交換情報が含まれていることを特徴とするデータ記録装置である。
【００１２】
また、この発明は、上述した課題を解決するために、帯域圧縮されて伝送されるディジタル情報信号を受信し処理するためのステップと、ディジタル信号から圧縮された画像／音声データとユーザインターフェイスのためのデータとを分離するステップと、画像／音声データを記録／再生するための第１の記録のステップと、ユーザインターフェイスのためのデータを記録／再生するための第２の記録のステップとを有し、第１の記録のステップにより記録される画像／音声データは脱着可能な記録媒体に記録され、第２の記録のステップにより記録されるユーザインターフェイスのためのデータには、記録媒体の交換情報が含まれていることを特徴とするデータ記録方法である。
【００１３】
上述したように、この発明は、大容量を要する画像／音声データを第１の記憶手段に記録し、ユーザインターフェイスのためのデータを第２の記憶手段に記録するようにされているため、既存のパーソナルコンピュータに対して大きな仕様変更をしなくてもマルチメディアオンラインサービスを利用することができる。
【００１４】
【発明の実施の形態】
以下、この発明の実施の一形態について、図面を参照しながら説明する。図１は、この発明によるマルチメディアデータ記録装置の構成を概略的に示す。このマルチメディアデータ記録装置は、一般家庭におけるマルチメディアによるオンラインサービスを実現するためのものであり、サービスに加入している各家庭に設置される。これはすなわち、各家庭の既存のパーソナルコンピュータ１に、図の点線内に示される装置が装着されることによって実現される。
【００１５】
このオンラインサービスは、サービス供給元から供給された映像・音楽ソフト、電子番組表、マガジン情報、ショッピング情報などから成る各種オンライン情報を受信したユーザによって、これらの情報のダウンロードや各種商品の注文などが行われるものである。この各種商品の注文は、例えば、このマルチメディアデータ記録装置からサービス供給元に対して直接的に行うことができる。
【００１６】
パーソナルコンピュータ１に、インターフェイスボード２が装着される。このインターフェイスボード２に、アンテナ３，音声再生装置４，およびイメージクリップサーバ５が接続される。サービス供給元から例えば通信衛星を介して送信されたオンラインサービスの信号がアンテナ３に受信されビットストリームとされる。この受信されたビットストリームは、インターフェイスボード２に供給される。
【００１７】
このインターフェイスボード２は、アンテナ３で受信されたビットストリームに対する、復調や復号化，暗号化解除，データの種類による振り分けなどの所定の信号処理を行うものであり、内部にＣＰＵを有する。また、このインターフェイスボード２は、ＭＰＥＧデコーダやモデム機能も有し、各種インターフェイスが搭載される。このインターフェイスボード２の詳細については、後述する。
【００１８】
インターフェイスボード２において、受信されたビットストリームから映像／音声データのようなデータと、例えばテキストデータのような一般データとが分離される。この一般データは、例えばユーザインターフェイスのために用いられるものである。これら分離されたデータのうち、画像／音声データは、例えばディジタルビデオカセットレコーダ（ＤＶＣＲ），ディジタルビデオディスク（ＤＶＤ）装置，光磁気ディスク（ＭＯ）ドライブ，あるいはハードディスクから成るイメージクリップサーバ５に供給され記録される。一方、テキストデータなどの一般データは、パーソナルコンピュータ１の例えばハードディスクなどによる外部記憶装置に記憶される。
【００１９】
例えば、ユーザがサービス提供元から提供される複数の映画の中から適宜選択し映像／音声の供給を受けるようなサービスでは、ユーザの要求により、プレビュームービークリップ（映画などのダイジェスト映像）とこのプレビュームービークリップに対して検索を行うための検索データを含む一般データがビットストリームとして受信される。受信されたこれらのビットストリームがインターフェイスボード２に供給された場合、大容量を要するプレビュームービークリップがイメージクリップサーバ５に記録され、小容量で済む一般データがパーソナルコンピュータ１に供給されハードディスクに記録される。
【００２０】
また、サービス供給元から供給されるサービスには、テキストデータのみから成るもの、あるいは画像データおよび音声データと共にテキストデータを含むものも存在する。このように、テキストデータで供給されるサービスは、一般データとしてストレージＡに記憶される。
【００２１】
パーソナルコンピュータ１のディスプレイには、受信された情報の検索を行い再生するためのユーザインターフェイスが表示されている。ユーザは、このインターフェイスを用いて受信された情報の検索を行い所望の情報を表示させることができる。この情報が映像情報であれば、パーソナルコンピュータ１のユーザインターフェイスにおける映像表示領域に映像が表示され、音声情報であれば音声再生装置４によって音声が再生される。
【００２２】
図２は、上述の構成におけるデータのダウンロードおよび再生の際の方法を概略的に示す。図２Ａに示されるデータのダウンロードの場合、サービス供給元から通信衛星などを介して送出され、送出されたこの信号がアンテナ３に受信されビットストリームとされる。このビットストリームがインターフェイスボード２に供給され、信号の復調，復号化，暗号化の解除などの所定の処理を施され、パケットに付されたＩＤに基づいて画像データおよび音声データと、これら画像データおよび音声データに対するインデックス情報とされる検索データを含む一般データとに分離され振り分けられる。
【００２３】
振り分けられたデータのうち、一般データは、ストリームＡとされパーソナルコンピュータ１の、例えばハードディスクから成りアクセス性に優れた外部記憶装置によるストレージＡに記憶される。一方、一般に大容量を要する画像／音声データは、ストリームＢとされストレージＢに記録される。このとき、これら画像データおよび音声データのストレージＢでの記録位置を示すインデックス情報がストレージＢに書き込まれる。このインデックス情報は、上述のストレージＡに記憶された検索データに対応するものである。
【００２４】
なお、ストレージＢには、例えばＤＶＣＲ，ＭＯドライブ，ＤＶＤ装置のように、使用される記録媒体が容易に脱着可能とされているものを用いると、大量の画像データおよび音声データを記録し保存することができて都合がよい。この場合、ストレージＡに記憶されるインデックス情報には、ストレージＢにおける記録媒体の交換情報も含むようにするのが好ましい。
【００２５】
このダウンロードされた画像／音声データを再生するためには、先ず、図２Ｂに示されるように、パーソナルコンピュータ１によってストレージＡに記憶された一般データが読み出される。パーソナルコンピュータ１のモニタには、この一般データに基づきダウンロードされた画像／音声データに対する選択メニューが表示される。ユーザは、この選択メニューによって再生したい画像データおよび音声データを選択する。このとき、ストレージＢに対しては、何のアクセスも行われない。
【００２６】
なお、このときの選択メニュー表示には、例えば過去にダウンロードされストレージＢにおいて記録されたデータを共に表示するようにしてもよい。すなわち、ストレージＡには過去にダウンロードし記録したインデックス情報を蓄積するようにし、ユーザは、蓄積されたインデックス情報のなかから希望の画像／音声データを選択することができる。若し、選択されたデータがストレージＢにおいて別の記録媒体に記録されている際には、その旨パーソナルコンピュータ１のモニタに表示され、ユーザに記録媒体の交換を促す。
【００２７】
画像データおよび音声データの選択が行われると、パーソナルコンピュータ１の指示によりストレージＢに書き込まれたインデックス情報が読み出され、選択結果に基づいた検索データによってこの読み出されたインデックス情報が参照される。この参照により取得された記録位置に対してサーチが行われ、選択された画像データおよび音声データがストレージＢから読み出される。読み出されたこの映像データおよび音声データは、図２Ｃに示されるように、ストリームＢとされインターフェイスボード２を介して例えばパーソナルコンピュータ１に供給され、このパーソナルコンピュータ１のモニタや音声再生装置において画像の映出や音声の再生が行われる。
【００２８】
なお、選択されたサービスがテキストデータのみである場合には、当然、ストレージＢへのアクセスは行われない。また、ストレージＡは、アクセスが高速なため、テキストデータによってこのストレージＡに記憶されたサービスに対しては、特にインデックス情報の作成は行われない。
【００２９】
図３は、この発明によるマルチメディアデータ記録装置が適用されるマルチメディアオンラインサービスシステムの構成の一例を示す。この図に示されるサービスにおいては、ディジタルマルチメディアデータがサービス供給元から発信され、通信衛星やケーブルを介してこのサービスに加入している一般家庭に送出される。
【００３０】
この図３に示される例では、このデータが通信衛星を介して送出されているが、これはこの例に限らず、サービス供給元から各加入家庭に対してケーブルで以てデータの送出を行ってもよい。このディジタルマルチメディアデータは、例えば映像・音楽ソフト、電子番組表、マガジン情報、ショッピング情報をはじめとする各種オンライン情報から成るオンラインサービスである。これらのサービスは、画像データ，音声データ，およびテキストデータなどから成る。
【００３１】
データ圧縮およびスクランブル装置６に対して、例えば映像配給元７からビデオ映像が複数チャンネルにわたり供給される。また、インターネット８や商用ネット９から、ニュースや娯楽情報などがこのデータ圧縮およびスクランブル装置６に対して供給される。供給されたこれらのディジタルデータは、データ圧縮およびスクランブル装置６において圧縮され、サービス加入者以外に利用されないためにスクランブル情報を付加され、送信装置１０に供給される。
【００３２】
送信装置１０において、圧縮されスクランブル情報を付加された供給されたディジタルマルチメディアデータが例えばマイクロ波に変調され送信される。送信されたこの信号は、通信衛星１１を介してこのサービスに加入している各家庭に設置された受信装置３によって受信されビットストリームとされる。
【００３３】
図４Ａは、この受信されたビットストリームの例を示す。このビットストリームは、例えば１つが１８８バイトあるいは１３０バイトといったトランスポートパケットと称される単位で伝送される。伝送されるデータは、例えばテキストデータなどの一般的なデータ，ビデオ（画像）データ，オーディオ（音声）データといったようなデータの種類毎に、それぞれ所定のパケットのサイズに分割される。図４においては、Ｄ１〜３が一般的なデータのためのデータパケット、Ｖ１〜６がビデオデータのためのビデオパケット、そして、Ａ１〜３がオーディオデータのためのオーディオパケットを示している。
【００３４】
さらに、これらのトランスポートパケットの先頭には、画像データ，音声データ，一般データといったパケットの種類や分割などの情報を示すＩＤがそれぞれ付せられる。受信後の処理において、このＩＤに示される情報に基づいて各々のデータが復元される。
【００３５】
このような、アンテナ３に受信されたビットストリームがインターフェイスボード２に供給される。このインターフェイスボード２において、上述のＩＤに基づいてデータ種類毎にパケットが振り分けられる。この例においては、ビデオパケットおよびオーディオパケットとデータパケットとが振り分けられる。図４Ｂは、このように図４Ａのビットストリームからデータパケットが振り分けられた様子を示し、同様に、図４Ｃは、図４Ａのビットストリームからビデオパケットおよびオーディオパケットが振り分けられた状態を示す。
【００３６】
このようにして受信されたオンラインサービスのビットストリームは、サービス加入家庭に用意されているパーソナルコンピュータ１に装着されたインターフェイスボード２に供給されることによってダウンロードされる。そして、供給されたこのビットストリームは、上述したように、各パケットに付されたＩＤに基づき画像データおよび音声データと例えばテキストデータのような一般データとに振り分けられる。
【００３７】
そして、データ容量の大きい、ビデオパケットおよびオーディオパケットから成るデータは、ストリームＢとされストレージＢであるイメージクリップサーバ５に供給され記録される。また同様に、データ容量の小さい、テキストデータなどを含むデータパケットから成る一般データは、ストリームＡとされストレージＡであるパーソナルコンピュータ１のハードディスクに供給され記録される。
【００３８】
一方、データ圧縮およびスクランブル装置６には、課金システム１２が接続されている。この課金システム１２は、このオンラインサービスを利用したユーザに対する課金の管理を行うためのものである。すなわち、この課金システム１２とユーザのＨＭＳボードとが電話回線などの公衆回線１４で接続される。また、インターフェイスボード２は、例えば予め所定の金額が登録されたプリペイドカード１３を装着して使用するようにされており、このサービスの利用の際に利用したサービスの料金に応じた金額が差し引かれるようにされている。このプリペイドカード１３の情報を課金システム１２およびパーソナルコンピュータ１との間でやり取りすることによって、サービス供給元およびユーザとの間で課金の管理が行われる。
【００３９】
パーソナルコンピュータ１には、サービス供給元から供給されたデータなどを再生するためのアプリケーションソフトウェアが搭載されている。ユーザは、これらのアプリケーションソフトウェアを利用してダウンロードしたデータを再生することができる。
【００４０】
例えば、映画などのダイジェスト画像であるプレビュームービークリップおよびこのクリップから希望のタイトルを検索するための目次データをダウンロードした場合、ユーザは、先ず目次データによって検索を行いこの検索結果に基づいてプレビュームービークリップの視聴を行う。そして、気に入ったタイトルがあった場合、このパーソナルコンピュータ１からサービス供給元に対して、ユーザによって公衆回線１４を介して希望の映像の供給が要求される。
【００４１】
希望の映像がサービス供給元からユーザに対して供給されダウンロードされると、プリペイドカード１３から所定の金額が差し引かれ、サービスが完了する。ダウンロードされた映像は、イメージクリップサーバ５に供給され記録される。そして、パーソナルコンピュータ１を介してのユーザの指示によりこの映像が再生される。この再生は、パーソナルコンピュータ１のディスプレイに対して行うようにしてもよいし、テレビジョン受像機１５に対して行ってもよい。
【００４２】
一方、受信装置３は、従来のサービスであるディジタル放送の受信も行うことができる。このように受信されたディジタル放送も、受信装置３からインターフェイスボード２に供給される。この従来のサービスにおいても、受信されたディジタル放送は、パーソナルコンピュータ１のディスプレイに表示してもよいし、テレビジョン受像機１５に対して表示してもよい。
【００４３】
図５は、この実施の一形態におけるマルチメディアデータ記録装置の構成の一例を詳細に示す。この例は、上述のストレージＢであるイメージクリップサーバ５として、ディジタルビデオカセット（ＤＶＣ）に対して記録／再生を行うディジタルビデオカセットレコーダ（ＤＶＣＲ）あるいは、デジタルビデオディスク（ＤＶＤ）に記録／再生を行うＤＶＤ装置が用いられる例である。
【００４４】
サービス供給元から、オンライン情報として映像・音楽ソフト、電子番組表、マガジン情報、ショッピング情報などの画像／音声データが伝送される。このとき、画像データは、例えばＭＰＥＧ２方式で圧縮符号化され伝送される。伝送されたこれら各種オンライン情報は、圧縮されたデジタル信号としてアンテナ３によって受信され、フロントエンド回路３０に供給される。
【００４５】
なお、ここでは各種オンライン情報の伝送が電波によるものとしたが、これはこの例に限定されるものではない。例えば、ＣＡＴＶなどのように、ケーブルを介して行ってもよい。この場合には、サービス供給元によって設置されたケーブルがこのインターフェイスボード２に接続され、各種オンライン情報を含む信号が所定のインターフェイスを介してフロントエンド回路３０に供給される。
【００４６】
なお、上述したように、このディジタル信号は、所定バイト長のパケットを単位として送信される。さらにその際、画像／音声データがそれぞれパケットに分離され時分割多重されて１つがトランスポートストリームとして送出される。通信衛星の送出機では、これらのトランスポートストリームを複数チャンネル分まとめて送出することができる。この送出機をトランスポンダと称する。
【００４７】
圧縮されたディジタル信号として受け取られた各種オンライン情報は、フロントエンド回路３０において受信チャンネルの選択が行われることによってトランスポンダを選択されトランスポートストリームが受信され復調される。そして、この復調されたトランスポートストリームは、このフロントエンド回路３０で、さらに所定の方法で復号化されエラー訂正を施される。エラー訂正されたこのトランスポートストリームは、トランスポートデコーダ３１に供給される。
【００４８】
このトランスポートデコーダ３１は、例えば暗号化解除回路およびＳＷ回路などから成る。上述したように、サービス供給元から供給されるオンラインサービス情報には、データ圧縮およびスクランブル装置６によって暗号化されスクランブルがかけられている。したがって、ユーザ側においてこのスクランブルを解除しなければ、このオンラインサービスを利用することができない。このスクランブルの解除が暗号化解除回路で行われる。
【００４９】
この暗号化解除回路においては、サービス供給元からサービス加入者として登録されたユーザにそれぞれ与えられたキーによって暗号が解除される。上述したように、このインターフェイスボード２にはプリペイドカードが装着される（図示しない）。このプリペイドカードは、例えばＩＣカードによって成るもので、カード自体に課金情報や上述のユーザ固有のキー情報などを記憶させることが可能である。暗号化解除回路によって使用されるキー情報は、このプリペイドカードから読み出される。また、このキー情報は、後述するパーソナルコンピュータ１に対してユーザがその都度入力するようにしてもよい。
【００５０】
暗号化解除回路からトランスポートデコーダ３１内のＳＷ回路に１トランスポンダ分のデータが供給される。このＳＷ回路において、複数チャンネルに分けられて供給されたトランスポートストリームが１つのチャンネルとされる。さらに、このＳＷ回路において、所定バイト長のパケットを単位として画像／音声，および一般データを、パケット毎のヘッダ部に付加されているＩＤによってデータが振り分けられる。振り分けられたこれらのデータは、このＳＷ回路で、ディジタル記録装置（上述のイメージサーバ５であって、ストレージＢとされる）に送り出す経路および後述するパーソナルコンピュータ１の例えばハードディスクから成る外部記憶装置５０（上述のストレージＡ）に送り出す経路とに分離される。
【００５１】
なお、このＳＷ回路において振り分けられる一般データは、同時に伝送されストレージＢに記録される画像／音声データに対するインタラクティブな処理に必要とされるデータであって、これら画像／音声データに対するインデックス情報（以下、インデックス情報Ａと称する）とされる。この一般データは、例えばパーソナルコンピュータ１のモニター上におけるユーザーインターフェースを司るためのテキストデータ，フォントデータ，イメージデータ，グラフィックデータから成る。また、この一般データには、静止画像データが含まれる場合もある。
【００５２】
トランスポートデコーダ回路３１でパーソナルコンピュータ１に送り出される経路に振り分けられた一般データは、例えばＩＳＡあるいはＰＣＩ規格によるインターフェイス３２を介してパーソナルコンピュータ１に供給される。
【００５３】
パーソナルコンピュータ１は、マイクロプロセッサから成り全体の処理を司るＭＰＵ４２，ＲＡＭおよびＲＯＭなどから成るメモリ４３，ＭＰＵ４２とローカルバスであるＰＣＩバス４４とを仲介するブリッジ４５，ＰＣＩバスと外部バスであるＩＳＡバス４６とを仲介するＰＣＩ−ＩＳＡブリッジ４７，およびストレージＡである外部記憶装置５０とのインターフェイスを司る、例えばＳＣＳＩコントローラから成るインターフェイス４８などから構成される。
【００５４】
また、図示しないが、パーソナルコンピュータ１において、ＭＰＵ４２が接続されるバスには、グラフィックコントローラを介してモニタが接続され、さらに、所定のインターフェイスを介してキーボードやマウスといった入力デバイスが接続される。ユーザは、これらの入力デバイスおよびモニタから成るユーザインターフェイスを介してＭＰＵ４２に対して様々な処理の指示を与え、また、その処理の結果などをモニタで確認することができる。
【００５５】
インターフェイスボード２のインターフェイス３２から供給された一般データは、ボード２におけるインターフェイスがＩＳＡインターフェイス４０であればＩＳＡバス４６，ＰＣＩ−ＩＳＡブリッジ４７，およびＰＣＩバス４４を介して、また、ボード２におけるインターフェイスがＰＣＩインターフェイス４１であればＰＣＩバス４４を介してＳＣＳＩコントローラ４８に供給され、このＳＣＳＩコントローラ４８からストレージＡに供給され記録される。そして、ＭＰＵ４２において、ユーザーからの入力デバイスなどの指示に基づきこのストレージＡに記録された一般データが読み出され、必要な表示データなどがモニターに出力される。
【００５６】
一方、トランスポートデコーダ３１でディジタル記録装置に送り出される経路に振り分けられた画像／音声データは、例えばＰ１３９４規格によるＰ１３９４インターフェイス３４を介してストレージＢに伝送され供給される。このストレージＢがＤＶＣＲであるイメージクリップサーバ５である場合、画像／音声データがＰ１３９４インターフェイス３４からイメージクリップサーバ５のＰ１３９４インターフェイス６０を介してＤＶＣインターフェイス６１に供給される。
【００５７】
ＤＶＣＲの場合、ディジタルデータは、１つのパケットが再分割され複数のトランスポンダに乗せられる、トランスポートストリームの状態で記録される。そのため、ＤＶＣインターフェイス６１に供給された画像／音声データは、パケット分離されＣＨＣＤ回路６２およびＲＦ回路６３を介してメカデッキ６４に供給される。すなわち、ＤＶＣインターフェイス６１でパケット分離された画像／音声データは、これらＣＨＣＤ回路６２およびＲＦ回路６３において、変速再生の処理，ＴＢＣ（Ｔｉｍｅ  Ｂａｓｅ  Ｃｏｒｒｅｃｔｅｒ）  処理，エラー訂正符号のパリティー付加，および変調などの処理がなされ、メカデッキ６４において挿入されたＤＶＣ６５に記録される。
【００５８】
また、Ｐ１３９４インターフェイスでは、同時に複数の機器を接続することが可能とされる。そのため、この図５に示す例では、インターフェイスボード２のＰ１３９４インターフェイス３４から、イメージクリップサーバとしてのＤＶＤ装置５’に映像，音声データが供給されている。
【００５９】
すなわち、Ｐ１３９４インターフェイス３４からＤＶＤ装置５’のＰ１３９４インターフェイス７０を介してＤＶＤインターフェイス７１に画像／音声データが供給される。このＤＶＤにおいては、上述のＤＶＣＲと異なり、ディジタルデータは、複数のパケットを束ねてパック構造とするプログラムストリームと称される状態で記録される。そのため、画像／音声データは、ＤＶＤインターフェイス７１においてトランスポートストリームからプログラムストリームへと変換され、ＤＶＤ記録／再生部７２に供給され、ＤＶＤに記録される。
【００６０】
なお、このＤＶＣＲ５やＤＶＤ装置５’などのストレージＢにおける記録媒体に画像／音声データが記録される際には、上述のストレージＡに記録される一般データによるインデックス情報Ａに対応したインデックス情報（以下、インデックス情報Ｂと称する）が書き込まれる。このインデックス情報Ｂには、ストレージＢにおいて画像／音声データが書き込まれた位置を示す絶対アドレス情報が含まれる。
【００６１】
なお、この絶対アドレス情報は、サービス供給元が供給する送出データにあらかじめ付加される場合もあるし、またストレージＢにおいて付加するようにしてもよい。また、上述した一般データのうち用途に応じて、一部必要なデータをストレージＢにおける記録媒体上の特定のエリアに記録しておくこともできる。
【００６２】
ストレージＢに記録された画像／音声データを再生したい場合、ユーザからの再生の指示がパーソナルコンピュータ１の入力手段を介してＭＰＵ４２に与えられる。すると、ＭＰＵ４２によってストレージＡに記録された一般データによるインデックス情報Ａが読み出されメモリ４３に記憶される。記憶されたこのインデックス情報Ａに基づきパーソナルコンピュータ１のモニタに再生したい画像／音声データの選択を促す画面が表示される。ユーザは、この表示に基づきパーソナルコンピュータ１の入力手段によってＭＰＵ４２に対してデータ選択の指示を与える。
【００６３】
この与えられた指示に基づき、ＭＰＵ４２によって、メモリ４３に記憶されたインデックス情報Ａが参照される。この参照して得られた情報に基づき、ＭＰＵ４２によってストレージＢの記録媒体に書き込まれたインデックス情報Ｂが参照される。
【００６４】
すなわち、ＭＰＵ４２からＰＣＩインターフェイス４１あるいはＩＳＡインターフェイス４０を介し、さらにインターフェイスボード２内のトランスポートデコーダ３１およびＰ１３９４インターフェイス３４を介してストレージＢに対してインデックス情報Ｂの読み出し要求が出される。そして、この読み出し要求に従いストレージＢの記録媒体からインデックス情報Ｂが読み出される。この読み出されたインデックス情報Ｂは、各種インターフェイスなどを介してＭＰＵ４２に返される。
【００６５】
ＭＰＵ４２において、このインデックス情報Ｂから再生したい画像／音声データがストレージＢの記録媒体に書き込まれている絶対アドレスが読み出される。そして、この読み出された絶対アドレスに基づき、ＭＰＵ４２によってストレージＢがコントロールされ、記録媒体上で絶対アドレスまでサーチが行われ希望の画像／音声データが記録媒体から再生が開始される。再生された再生信号は、例えばストレージＢがＤＶＣＲ５の場合には、ＲＦ回路６３，ＣＨＣＤ回路６２によって復調およびエラー訂正処理され、画像／音声データとされる。この画像／音声データがＤＶＣインターフェイス６１に供給されパケット処理されてＰ１３９４インターフェイス６０およびインターフェイスボード２のＰ１３９４インターフェイス３４を介してトランスポートデコーダ３１に供給される。
【００６６】
トランスポートデコーダ３１に供給された画像／音声データは、デコーダ３１内のＳＷ回路に供給され、パケット構造を解かれる。このパケット構造を解かれた画像／音声データは、ＭＰＥＧデコーダ３３に供給され、ディジタル圧縮が解凍される。圧縮解凍された画像／音声データは、例えばインターフェイス３７を介してＶＧＡカード８０に供給され、画像データがＲＧＢ信号とされＣＲＴモニタ８１に映出される。また例えば、圧縮解凍された画像／音声データがＭＰＥＧデコーダ３３から、画像がＮＴＳＣデコーダ３５に供給されＮＴＳＣ信号とされテレビジョン受像機（図示しない）に供給され映出される。また、ＭＰＥＧデコーダ３５からの音声データがＤ／Ａ変換器（図示しない）に供給され、テレビジョン受像機に供給され再生される。
【００６７】
この再生されモニタなどに映出されたた画像／音声データが、複数の映画のダイジェスト映像などのような、サービス供給元からサービス加入者であるユーザに対して提供された所謂商品サンプル的な情報である場合、ユーザは、この映出されたサンプル画像を見て希望の商品などをサービス供給元に要求することができる。
【００６８】
すなわち、希望の商品があった場合、ユーザは、パーソナルコンピュータ１のモニタおよび入力デバイスから成るユーザインターフェイスによって商品の注文を指示する。この注文情報は、ＰＣＩインターフェイス４１あるいはＩＳＡインターフェイス４０などを介してインターフェイスボード２のトランスポートデコーダ３１に供給される。このトランスポートデコーダ３１には、電話回線などの公衆回線を通じてサービス供給元との通信を行うためのモデム３４が接続されており、この注文情報は、モデム３４によってサービス供給元に対して送出される。
【００６９】
この注文情報を受け取ったサービス供給元では、注文ユーザの課金情報などの必要な情報を、公衆回線およびモデム３４を介して上述したプリペイドカードなどの情報をチェックすることで行い、条件が満足した場合、ユーザに注文商品が届けられる。ユーザが注文した商品が映画などの映像，音声データである場合には、再び通信衛星などを介して画像／音声データがユーザの元へ送出される。
【００７０】
図６は、この実施の一形態の第１の変形例を示す。これは、上述の実施の一形態に示した構成において、ＤＶＣインターフェイスの配置を変えることによって、汎用のディジタルビデオカメラ９０などをストリームＢとして使用できるようにしたものである。すなわち、この第１の変形例においては、図５に示されるストレージＢに含まれるＤＶＣインターフェイス６１がインターフェイスボード２におけるトランスポートデコーダ３１のストレージＢに対する出力側にＤＶＣインターフェイス９１として挿入されている。なお、この図６において、上述した図５と共通する部分には同一の番号を付し、繁雑さを避けるためその説明を省略する。
【００７１】
アンテナ３によって受信され、フロントエンド回路３０を介してトランスポートデコーダ３１で振り分けられたストリームＢ、すなわち、画像／音声データは、ＤＶＣインターフェイス９１に供給される。そして、これら画像／音声データは、このＤＶＣインターフェイス９１において所定のパケット処理を施されＰ１３９４インターフェイス３４に供給される。
【００７２】
このように、この第１の変形例の構成においては、Ｐ１３９４インターフェイス３４から出力されるデータは、インターフェイスボード２に内蔵されたＤＶＣインターフェイス９１において、既にＤＶＣＲによって記録可能な形式とされている。そのため、このインターフェイスボード２をこのような構成にすることによって、アンテナ３で受信された画像／音声データを、ＤＶＣインターフェイスを持たない、例えば汎用の据え置き型ＤＶＣＲ５”や汎用のカメラ一体型ディジタルビデオレコーダ９０によって記録することができる。
【００７３】
また、逆に、これら汎用の据え置き型ＤＶＣＡ５”やカメラ一体型ディジタルビデオレコーダ９０から再生した画像／音声データをＰ１３９４インターフェイス３４を介してインターフェイスボード２に供給することによって、ＤＶＣインターフェイス６１において所定のパケット処理が施され、トランスポートデコーダ３１を介してパーソナルコンピュータ１のモニタやあるいはさらにＭＰＥＧデコーダ３３などを介してテレビジョン受像機８１などで再生画像などを楽しむことができる。
【００７４】
図７は、この実施の一形態の第２の変形例を示す。これは、既存のディジタル放送システムに対してこの発明を適用させた例である。このディジタル放送システムが通信衛星を介して行われる場合には、加入者のテレビジョン受像機に対してＩＲＤ（Ｉｎｔｅｇｒａｔｅｄ  Ｒｅｃｉｅｖｅｒ  Ｄｅｃｏｄｅｒ）  と称される装置が接続される。また、ケーブルを介して行われる、所謂ＣＡＴＶなどの放送システムにおいては、セットトップボックスと称される装置が加入者のテレビジョン受像機に対して接続される。
【００７５】
このＩＲＤは、上述のインターフェイスボード２に比して、パーソナルコンピュータ１に対するインターフェイスおよび大容量のディジタル記録装置であるストレージＢに対するインターフェイスを欠いた構成とされている。すなわち、このＩＲＤを使用した従来の放送システムにおいては、データの保存などを行うことができない構成とされており、ディジタル通信のマルチメディア化には十分対応できない。
【００７６】
そこで、この第２の変形例においては、インターフェイスボード２およびＩＲＤ１００のそれぞれに、互いにデータ伝送可能なようなインターフェイスを持たせた。このインターフェイスは、例えば２４ｐｉｎのインターフェイスが用いられる。そして、インターフェイスボード２およびＩＲＤ１００を接続させ、既存の通信システムにおいてもマルチメディア化に対応できるようにさせた。なお、この図７において、上述した図５および図６と共通する部分には同一の番号を付し、繁雑さを避けるためその説明を省略する。
【００７７】
このＩＲＤ１００は、アンテナ３によって受信された信号に対して所定の信号を処理を行い、ＮＴＳＣ方式に対応した映像信号を生成するものであり、全体がＣＰＵ１０６によって制御される。また、このＩＲＤ１００は、サービス供給元によるユーザの課金情報の管理などを公衆電話回線を通じて行うために、モデム１０７を有している。
【００７８】
サービス供給元から送信されアンテナ３によって受信されたビットストリームがフロントエンド回路１０１に供給される。受信されたこのビットストリームは、フロントエンド回路１０１においてトランスポンダを選択され復調され、所定の方法でエラー訂正され、デスクランブル回路１０２に供給される。サービス供給元から供給された信号には、上述したように暗号化されスクランブルがかけられている。デスクランブル回路１０２では、サービス提供元から各加入ユーザに対して与えられたキー情報に基づいてこの暗号化を解除しスクランブルを解く。このキー情報は、例えば、上述したようにＩＣカードなどによるプリペイドカードに記憶され、このプリペイドカードがＩＲＤ１００に装着され（図示しない）ＣＰＵ１０６によってこの記憶されたキー情報が読み出されることによって得られる。スクランブルを解かれた信号は、トランスポートマルチプレクサ１０３に供給される。
【００７９】
ところで、この例によるＩＲＤ１００においては、これらデスクランブル回路１０２およびトランスポートマルチプレクサ１０３との間に、インターフェイスボード２に対するインターフェイスが設けられている。したがって、デスクランブル回路１０２でスクランブルを解かれた信号は、ＩＲＤ１００のトランスポートマルチプレクサ１０３に供給されると共に、インターフェイスボード２のトランスポートデコーダ３１’にも供給される。
【００８０】
トランスポートデコーダ３１’において、複数チャンネルに分けられて供給されたトランスポンダが１つのチャンネルとされ、さらに、所定バイト長のパケットを単位として画像／音声，および一般データを、パケット毎のヘッダ部に付加されているＩＤによってデータが振り分けられる。振り分けられたこれらのデータは、このトランスポートデコーダ３１’において、ストレージＢに送り出す経路およびストレージＡに送り出す経路とに分離される。
【００８１】
トランスポートデコーダ３１’において振り分けられた一般データは、ＩＳＡあるいはＰＣＩ規格によるインターフェイス３２を介してパーソナルコンピュータ１に供給され、ストレージＡに記憶される。また、画像／音声データは、ＤＶＣインターフェイス９１およびＰ１３９４インターフェイス３４を介してストレージＢに供給され記録される。この際、ストレージＢの記録媒体上に対する記録位置を示す絶対アドレスを示すインデックス情報も、ストレージＢに書き込まれる。
【００８２】
このように、ＩＲＤ１００およびインターフェイスボード２との間にインターフェイスを持たせることによって、既存のディジタル放送システムにおいても、この発明によるマルチメディアデータ記録装置を使用してマルチメディアサービスを受けることができる。
【００８３】
なお、この第２の変形例において通常のディジタル放送だけを利用するときには、ＩＲＤ１００のデスクランブル回路１０２からの出力がトランスポートデマルチプレクサ１０３に供給され、所定のパケット処理をされＭＰＥＧ圧縮されたディジタル画像データとされＭＰＥＧデコーダ１０４に供給される。このＭＰＥＧデコーダ１０４において、供給されたＭＰＥＧ圧縮されたディジタル信号が圧縮解凍されディジタル映像信号とされる。このディジタル映像信号がＮＴＳＣエンコーダ１０５に供給されＮＴＳＣ方式による映像信号とされ、この映像信号が供給されたテレビジョン受像機に映出される。
【００８４】
なお、この第２の変形例において、ストレージＢに対するインターフェイスは、上述の第１の変形例に準じて、インターフェイスボード２内にＤＶＣインターフェイス９１を持たせ、汎用のＤＶＣＲに対応できるようにしたが、これはこの例に限定されるものではない。例えば、ストレージＢに対するインターフェイスを、上述した図５に示した実施の一形態のように、インターフェイスボード２内にＤＶＣインターフェイスを設けないようにしてもよい。このようにすると、ＤＶＤ装置をストレージＢとして用いることが容易となる。
【００８５】
【発明の効果】
以上説明したように、この発明によれば、大容量を必要とする動画像をふんだんに使用したマルチメディアオンラインサービスにおけるデータのダウンロードの際に、大容量を必要とする画像／音声データがＤＶＣやＤＶＤなどによる大容量のディジタル記録装置に記録され、目次検索などのインタラクティブ性を重視されるようなデータや比較的大容量を必要としないテキストデータなどが、アクセス性の高い既存のハードディスクに記録するようにされている。
【００８６】
このように、伝送されたデータを用途に応じて、データに付加されている、データ種別を示すＩＤを判別して自動的に記録する媒体を振り分けることによって、ユーザは、手持ちのパーソナルコンピュータやハードディスクに大きな仕様変更を加えることなく、高画質な動画像などのマルチメディアオンラインサービスを容易に楽しむことができる効果がある。
【００８７】
また、この実施の一形態においては、この発明におけるＨＭＳボードおよびＩＲＤ装置に簡単なインターフェイスを装備することで、既存のディジタル放送システムのための装置構成をそのまま利用してマルチメディアオンラインサービスを利用することができる効果がある。
【００８８】
また、この実施の一形態においては、この発明におけるＨＭＳボードの構成を一部分変えるだけで汎用のディジタルビデオレコーダを画像／音声データのストレージとして利用できる効果がある。
【図面の簡単な説明】
【図１】この発明によるマルチメディアデータ記録装置の構成を概略的に示す略線図である。
【図２】この発明によるデータのダウンロードおよび再生の際の方法を概略的に示す略線図である。
【図３】この発明によるマルチメディアデータ記録装置が適用されるマルチメディアオンラインサービスシステムの構成の一例を示す略線図である。
【図４】ビットストリームにおけるデータの振り分けを説明するための略線図である。
【図５】実施の一形態におけるマルチメディアデータ記録装置の構成の一例を詳細に示すブロック図である。
【図６】実施の一形態の第１の変形例におけるマルチメディアデータ記録装置の構成の一例を詳細に示すブロック図である。
【図７】実施の一形態の第２の変形例におけるマルチメディアデータ記録装置の構成の一例を詳細に示すブロック図である。
【符号の説明】
１  パーソナルコンピュータ
２  ＨＭＳボード
３  アンテナ
５  イメージクリップサーバ（ストレージＢ）
３０  フロントエンド回路
３１  トランスポートデコーダ
５０  ハードディスク（ストレージＡ）
【図１】
0003586953.tif 000002
【図２】
0003586953.tif 000003
【図３】
0003586953.tif 000004
【図４】
0003586953.tif 000005
【図５】
0003586953.tif 000006
【図６】
0003586953.tif 000007
【図７】
0003586953.tif 000008